(57)【要約】      （修正有）【課題】組立て分解が簡単にでき、高い強度を有して衝撃によって間仕切りパネルが不意に倒れることのないようにしたブース構造を提供する。【解決手段】間仕切りパネル１０の上縁及び左右の両側縁を断面凹溝状に形成し、ピン差込み穴１１Ａを有する断面凹状の補強具１１を間仕切りパネル凹溝１０Ａ内の上側隅部に嵌め込み、支柱の外側面又は間仕切りパネルの側方の凹溝底面に磁石板を固定し、間仕切りパネルの凹溝に支柱を嵌め込ませて磁着によって固定する。連結具の連結板１４Ａを間仕切りパネルの凹溝に嵌め込ませ、連結板には連結支柱１４Ｂを固定して支柱の上端開口１２Ａに差し込み、連結板に差込みピン１４Ｃを固定して補強具のピン差込み穴に差し込み、支柱と間仕切りパネルとを連結する。【選択図】図２
0003151022.tif 000002
【実用新案登録請求の範囲】
【請求項１】
少なくとも左右の両側面と背面が壁面で構成されたブース構造において、
四角形状をなし、四周縁のうち少なくとも上縁及び左右の両側縁が断面凹溝状に形成された間仕切りパネル(10)と、
該間仕切りパネル(10)の凹溝(10A)内の少なくとも上端隅部に嵌め込まれ、ピン差込み穴(11A)が形成された断面凹状の補強具(11)と、
断面外形が隣接する間仕切りパネルの外側端を相互に連続するように配置した間仕切りパネル(10)の凹溝(10A)内に嵌まり合う四角形状をなし、上下両端のうち少なくとも上端に差込み口(12A)が形成された支柱(12)と、
該支柱(12)の外側面及び上記間仕切りパネル(10)の側方の凹溝(10A)底面の少なくとも一方に固定され、上記間仕切りパネル(10)と支柱(12)とを磁着によって固定する磁石板(13)と、
上記間仕切りパネル(10)の凹溝(10A)に嵌まり込む連結板(14A)、該連結板(14A)に固定され上記支柱(12)の上端開口(12A)に差し込まれる連結支柱(14B)及び上記連結板(14A)に固定され上記補強具(11)のピン差込み穴(11A)に差し込まれる差込みピン(14C)から構成され、上記支柱(12)と間仕切りパネル(10)とを連結する連結具(14)と、
を備えたことを特徴とするブース構造。
【請求項２】
２枚の上記間仕切りパネル(10)が上記支柱(12)を介して相互に直交するように連結されることによって自立するようになっている請求項１記載のブース構造。
【請求項３】
上記間仕切りパネル(10)の上端縁にはクリップ(20A)で凹溝(10A)の一方の側壁を挟持することによって電気器具(20)が取付けられる請求項１記載のブース構造。
【請求項４】
上記間仕切りパネル(10)の上端の凹溝(10A)内に電気コード(20B)が配線されている請求項１記載のブース構造。
【請求項５】
上記支柱(12)が磁石で磁着可能な材料で製作され、上記間仕切りパネル(10)の凹溝(10A) 底面に磁石板(13)が固着されている請求項１記載のブース構造。
【考案の詳細な説明】
【技術分野】
【０００１】
この考案はブース構造に関し、例えば組立て分解が簡単にでき、高い強度を有して衝撃によって間仕切りパネルが不意に倒れることのないようにした構造に関する。
【背景技術】
【０００２】
例えば、見本市会場などの各種イベント会場では合板などの表面を塗装し織布や装飾紙を貼り付けた間仕切りパネルを多数使用し、釘などを用いてブースを設営することが行われているが、使用後には間仕切りパネルはそのまま廃棄されることが多かった。
【０００３】
これに対し、矩形状の２枚の化粧パネルを間隔をあけて重ね、その四周縁に断面凹状の金属材料を嵌め込んで間仕切りパネルを構成し、間仕切りパネルの凹部に両面粘着テープ又は面ファスナーを固着し、複数枚の間仕切りパネルを支柱の突状部に嵌め合せて接続し、又間仕切りパネルの上端面及び下端面に断面コ字状の桟を嵌め込んで見栄えを向上させるとともに間仕切りパネルを補強してブースを設営し、簡単に組立て分解できるようにしたブース構造が提案されている（特許文献１）。
【先行技術文献】
【特許文献】
【０００４】
【特許文献１】特開２００１−９０２３２号公報
【考案の開示】
【考案が解決しようとする課題】
【０００５】
しかし、特許文献１記載のブース構造では両面粘着テープや面ファスナーで間仕切りパネルと支柱とを固定し、その上端面及び下端面に断面コ字状の上桟と下桟に嵌め込んで起立状態に保持するようにしているので、何らかの原因で間仕切りパネルに衝撃が加わって上桟や下桟から間仕切りパネルが抜けると、間仕切りパネルが倒れるおそれがあった。
【０００６】
また、間仕切りパネルの側面凹部を支柱の突状部に嵌め合せているので、継ぎ部で支柱がパネル面から突き出しており、広い平坦なパネル面として利用することが難しい。
【０００７】
本考案は、かかる問題点に鑑み、組立て分解が簡単にできるとともに、高い強度を有して衝撃によって間仕切りパネルが不意に倒れることがなく、さらには広い平坦なパネル面として利用できるようにしたブース構造を提供することを課題とする。
【課題を解決するための手段】
【０００８】
そこで、本考案に係るブース構造は、少なくとも左右の両側面と背面が壁面で構成されたブース構造において、四角形状をなし、四周縁のうち少なくとも上縁及び左右の両側縁が断面凹溝状に形成された間仕切りパネルと、該間仕切りパネルの凹溝内の少なくとも上側隅部に嵌め込まれ、ピン差込み穴が形成された断面凹状の補強具と、断面外形が隣接する間仕切りパネルの外側端を相互に連続するように配置した間仕切りパネルの凹溝内に嵌まり合う四角形状をなし、上下両端のうち少なくとも上端に差込み口が形成された支柱と、該支柱の外側面及び上記間仕切りパネルの側方の凹溝底面の少なくとも一方に固定され、上記間仕切りパネルと支柱とを磁着によって固定する磁石板と、上記間仕切りパネルの凹溝に嵌まり込む連結板、該連結板に固定され上記支柱の上端開口に差し込まれる連結支柱及び上記連結板に固定され上記補強具のピン差込み穴に差し込まれる差込みピンから構成され、上記支柱と間仕切りパネルとを連結する連結具と、を備えたことを特徴とする。
【０００９】
本考案の特徴の１つは間仕切りパネルの凹溝底面と支柱とを磁石板で磁着する一方、支柱の上端開口に連結具の連結支柱を差し込み、連結具の差込みピンを間仕切りパネルの上側隅部の補強具のピン差込み穴に差し込んで支柱と間仕切りパネルとを連結するようにした点にある。
【００１０】
これにより、間仕切りパネルと支柱とを簡単に連結することができ、又簡単に分解することができる。しかも、間仕切りパネルと支柱とを磁着するだけでなく、連結板、差込みピン及び連結支柱で構成される連結具によって間仕切りパネルと支柱とを強固に連結できるので、何らかの原因で間仕切りパネルに大きな衝撃が加わっても間仕切りパネルが不意に倒れることはない。
【００１１】
また、隣接する間仕切りパネルを連続するように配列し、その間仕切りパネルの凹溝に支柱を嵌め込んでいるので、従来のように支柱がパネル面から突き出ることはなく、広い平坦なパネル面を構成でき、例えば大きな顔写真の展示に利用することができる。
【００１２】
また、支柱を床面に固定して壁面を起立保持させてもよいが、２枚の間仕切りパネルを支柱を介して相互に直交するように連結すると、支柱を床面に固定しなくとも壁面を自立させることができ、組立て分解をより簡単にできる。
【００１３】
さらに、ブースの構成部材が少なく、部材のコストダウンを図ることができるばかりでなく、ブースを構築するのに必要な時間が少なくて済み、人件費も削減できる。
【００１４】
磁石板は間仕切りパネル及び支柱の両方に設けてもよく、いずれか一方に設けてもよい。例えば、支柱を磁石で磁着可能な材料で製作し、間仕切りパネルの凹溝底面に磁石板を固定するようにしてもよい。
【００１５】
磁石板は強い磁力のものを採用するか、又は支柱の凹溝底面に複数の磁石板を狭い間隔で固定すると、間仕切りパネルの上下位置を支柱に対して調整することによって床面（地面を含む）が平坦でない場合にも支柱及び間仕切りパネルを安定かつ確実に立設することができる。
【００１６】
本考案に係るブース構造では間仕切りパネルの上端凹状がそのままであるので、間仕切りパネルの上端縁にはクリップで凹溝の一方の側壁を挟持することによって電気器具、例えば照明器具を取付けることができる。
【００１７】
また、電気器具への電源コード、パソコンへの信号線などの電気コードを凹溝内に配線すると、外側からコードで見えず、見栄えが保証できる。
【図面の簡単な説明】
【００１８】
【図１】本考案に係るブース構造の好ましい実施形態を示す概略斜視図である。
【図２】上記実施形態における連結金具による支柱と間仕切りパネルの連結方法を模式的に示す斜視図である。
【図３】上記実施形態における照明器具の取付け状態を示す斜視図である。
【図４】上記実施形態における間仕切りパネルを示す図である。
【図５】上記実施形態における間仕切りパネルの隅部を示す図である。
【図６】上記実施形態における補強金具を示す図である。
【図７】上記実施形態における連結金具を示す図である。
【図８】上記実施形態における他の連結金具を示す図である。
【図９】上記実施形態におけるさらに他の連結金具を示す図である。
【図１０】上記実施形態におけるさらにまた他の連結金具を示す図である。
【図１１】上記実施形態における補強金具を示す図である。
【考案を実施するための形態】
【００１９】
以下、本考案を具体例に基づいて詳細に説明する。図１ないし図１１は本考案に係るブース構造の好ましい実施形態を示す。図において、ブース１００は左右両側面及び背面が壁面１１０で構成されるとともに、正面が開放され、壁面１１０は例えば高さ２７００ｍｍ、横５８０ｍｍの複数枚の間仕切りパネル１０と支柱１２によって構成されている。
【００２０】
間仕切りパネル１０は芯材１０Ｂを四角形枠状に組み立ててタッカー針によって相互に固定し、左右の芯材１０Ｂの間に芯材１０Ｂを上下に間隔をあけて配置してタッカー針で固定して骨組を製作し、骨組を２枚の化粧パネル１０Ｃで挟んで相互に固定して構成されている。
【００２１】
この間仕切りパネル１０の上端及び左右両側縁は断面凹溝状に形成され、又間仕切りパネル１０の四隅には補強金具１１、１８がねじなどによって固定され、又間仕切りパネル１０の上端凹溝１０Ａ内には断面凹溝状の補強金具１９が嵌め込まれ、ねじなどによって固定されている。
【００２２】
間仕切りパネル１０の上側隅部の補強金具１１は側面Ｌ字状でかつ断面凹溝状をなし、凹溝１０Ａの上辺底面にはピン差込み穴１１Ａが形成され、又他方の補強金具１８は側面Ｌ字状をなし、縦辺部分は断面凹溝状に形成されている。
【００２３】
また、間仕切りパネル１０の両側辺の凹溝１０Ａの底面には複数枚、例えば５枚の磁石板１３が上下方向に間隔をあけて固着されている。
【００２４】
支柱１２には連続するように並べた２枚の間仕切りパネル１０の側縁の凹溝１０Ａに嵌まり込む大きさの断面四角形状の金属パイプが用いられ、支柱１２の上端は開口されている。
【００２５】
また、間仕切りパネル１０と支柱１２とは連結金具１４によって連結されている。この連結金具１４は連結板１４Ａの中央に連結支柱１４Ａを固定し、側方に差込みピン１４Ｃを固定して構成され、連結板１４Ａには平面直線状、平面Ｌ字状、平面Ｔ字状又は平面十字状に形成されている。
【００２６】
ブース１００を組み立てる場合、３枚又は４枚の間仕切りパネル１０を並べ、隣接する間仕切りパネル１０の側縁凹溝１０Ａ内に支柱１２を嵌め込むと、間仕切りパネル１０の磁石板１３が支柱１２に強固に磁着し、３枚又は４枚の間仕切りパネル１０が仮連結される。このとき、磁石板１３の磁力が強いと、支柱１２に対する間仕切りパネル１０の上下位置を調整できるので、平坦でない床面（地面）上にも支柱１２及び間仕切りパネル１０を安定にかつ確実に立設することができる。
【００２７】
次に、直線状の連結板１４Ａを有する連結金具１４を用い、連結金具１４を間仕切りパネル１０の凹溝１０Ａ内に、隣接する間仕切りパネル１０にわたるように嵌め込み、連結支柱１４Ｂを支柱１２の上端開口１２Ａに、差込みピン１４Ｃをピン差込み穴１１Ａに差し込むと、隣接する間仕切りパネル１０を確実に連結することができる。
【００２８】
こうして間仕切りパネル１０を連結できると、これを直交するように起立させ、その外端の凹溝１０Ａに支柱１２を嵌め込むと、磁石板１３によって間仕切りパネル１０が直交した状態で支柱１２に磁着されて仮連結できるので、最後にＬ字状の連結板１４Ａを有する連結金具１４を用いて外端の間仕切りパネル１０を連結すると、３枚又は４枚の間仕切りパネル１０が自立し、図１に示されるように左右の両側及び背面の壁面１１０が形成され、正面を連結板１７が連結すると、ブース１００を組み立てることができる。
【００２９】
そして、必要に応じてクリップ２０Ａで間仕切りパネル１０の凹溝１０Ａの側壁を挟持して、例えば照明器具２０を固定し、電気コード２０Ｂは凹溝１０Ａ内に見栄えよく配線することができる。
【００３０】
分解する場合は上記と逆の手順で作業を行えばよい。
【００３１】
以上のように、間仕切りパネル１０と支柱１２とを簡単に連結することができ、又簡単に分解することができる。しかも、間仕切りパネル１０と支柱１２とを磁着するだけでなく、連結板１４Ａ、差込みピン１４Ｃ及び連結支柱１４Ｂで構成される連結具１４によって間仕切りパネル１０と支柱１２とを強固に連結できるので、何らかの原因で間仕切りパネル１０に大きな衝撃が加わっても間仕切りパネル１０が倒れることはない。
【００３２】
また、２枚の間仕切りパネル１０を支柱を介して相互に直交するように連結しているので、支柱１２を床面に固定しなくとも壁面を自立させることができ、組立て分解をより簡単にできる。
【００３３】
また、複数のブース１００を並べて組み立てる場合には平面Ｔ字状の連結板１４Ａを有する連結金具１４、平面十字状の連結板１４Ａを有する連結金具１４を用いることによって複雑な構造のブース１００を組み立てることができる。
【００３４】
なお、上記実施例では間仕切りパネル１０の下部を平坦に形成したが、凹溝形状に形成し、上部と同様の構造で連結するようにしてもよい。
【００３５】
また、上記実施例では正面を開放したが、壁面を形成し、壁面に出入り口を形成するようにしてもよい。
【符号の説明】
【００３６】
１０        間仕切りパネル
１０Ａ      凹溝
１１        補強金具
１１Ａ      ピン差込み穴
１２        支柱
１２Ａ      上端開口
１３        磁石板
１４        連結金具
１４Ａ      連結板
１４Ｂ      連結支柱
１４Ｃ      差込みピン
【図１】
0003151022.tif 000003
【図２】
0003151022.tif 000004
【図３】
0003151022.tif 000005
【図４】
0003151022.tif 000006
【図５】
0003151022.tif 000007
【図６】
0003151022.tif 000008
【図７】
0003151022.tif 000009
【図８】
0003151022.tif 000010
【図９】
0003151022.tif 000011
【図１０】
0003151022.tif 000012
【図１１】
0003151022.tif 000013